(57)【要約】【課題】本発明は音響機器に使用される電気音響変換器および電子機器に関するものであり、電気音響変換器の信頼性や品質の向上化が課題であった。【解決手段】本発明は、ターミナル３０のシート状の金属板の折り曲げ部近傍に、その一部を内側に曲げ加工してストッパー３０ａを形成することにより、外力から折り曲げ部を保護し、ターミナル３０ａの金属端子のバネ圧の可逆限界値を超えてしまうことなく、常時、強いバネ圧を維持することができるように構成したものである。【選択図】図１
2006013667.tif 000002
【特許請求の範囲】
【請求項１】
磁気回路に結合されたフレームと、このフレームの外周部に結合された振動板と、この振動板に結合されるとともに、その一部が前記磁気回路の磁気ギャップに配置されたボイスコイルと、このボイスコイルのリード線を結線した導電性を有する一枚のシート状の金属板を折り曲げ加工して、この金属板のバネ圧を利用して給電部と接触させるように構成したターミナルとから構成された電気音響変換器であって、このターミナルの折り曲げが金属材料の可逆限界値を超えない範囲で折り曲げ範囲が制御されるように、前記ターミナルのシート状の金属板の折り曲げ部近傍に前記ターミナルの一部を内側に曲げ加工してストッパーを形成してなる電気音響変換器。
【請求項２】
ストッパーは、その断面形状が略半円弧形状に折り曲げ加工して形成した請求項１記載の電気音響変換器。
【請求項３】
ストッパーは、その断面形状が略直角形状に折り曲げ加工して形成した請求項１記載の電気音響変換器。
【請求項４】
ストッパーに補強リブを形成した請求項１から請求項３のいずれか１つに記載の電気音響変換器。
【請求項５】
補強リブは、ターミナルのフレームから終端に至るまでの長手方向区間にスリット状に形成した請求項４記載の電気音響変換器。
【請求項６】
ストッパーに絶縁体を設けた請求項１から請求項５のいずれか１つに記載の電気音響変換器。
【請求項７】
磁気回路の背面部にストッパーと対応するように絶縁体を設けた請求項１から請求項５のいずれか１つに記載の電気音響変換器。
【請求項８】
請求項１から請求項７のいずれか１つに記載の電気音響変換器を搭載した電子機器。
【発明の詳細な説明】
【技術分野】
【０００１】
本発明は各種音響機器や情報通信機器に使用される電気音響変換器および携帯電話やゲーム機器等の電子機器に関するものである。
【背景技術】
【０００２】
従来の技術を図９から図１３により説明する。図９から図１１は従来の電気音響変換器の断面図であり、携帯電話等の電子機器に搭載されるスピーカやレシーバとして用いられているものである。図１２から図１３はこの電気音響変換器を携帯電話等の電子機器に搭載した状態の断面図である。
【０００３】
図９に示すように、着磁されたマグネット１を上部プレート２およびヨーク３により挟み込んで内磁型の磁気回路４を構成している。この磁気回路４のヨーク３を接触させながらターミナル１０の一部をモールドした樹脂フレーム６に磁気回路４を圧入し、接着により結合している。
【０００４】
そして、このフレーム６の周縁部に振動板７を接着し、この振動板７にこれを駆動させるためのボイスコイル８を結合し、このボイスコイル８を磁気ギャップ５にはまり込むように結合している。その後、このボイスコイル８のリード線をターミナル１０の一方の端部に半田付けして結合している。最後に、このターミナル１０の略中央部を２つ折りに折り曲げることにより、フレーム６の外形寸法よりターミナル１０が外部にはみ出さないようにして、もう一方の端部をシステム側の給電端子として構成している。
【０００５】
ここで、このターミナル１０は、導電性を有する一枚のシート状の金属板を折り曲げ加工して、この金属板のバネ圧を利用して給電部と接触させるように構成している。そして、このターミナル１０の折り曲げが金属材料の可逆限界値を超えない範囲で、ターミナル１０のシート状の金属板の最終端を内側に折り曲げ加工してストッパー１０ａを構成することで、折り曲げ範囲を制御している。
【０００６】
図１０および図１１は図９に示すターミナル１０の状態を示した断面図であり、図９に示すターミナル１０の状態が上死点であると仮定すると、図１０はターミナル１０が下死点に達した状態である。図１１は図１０のターミナル１０が下死点に達した状態から、さらに過大な力が加わり、ストッパー１０ａが変形して潰れた状態である。
【０００７】
図１２から図１３については上述の電気音響変換器を携帯電話等の電子機器に搭載した状態の断面図であり、図１２はターミナル１０がある程度曲げられて、セット側の給電部に適正なバネ圧がかかった状態を示した状態である。図１３は携帯電話の落下衝撃等の外的要因により、ターミナル１０がセット側の給電部に押されて変形し、下死点に達した後、さらに過大な力が加わり、ストッパー１０ａが変形して潰れた状態である。
【０００８】
尚、この出願の発明に関する先行技術文献情報としては、例えば、特許文献１が知られている。
【特許文献１】特開２００３−３７８９０号公報
【発明の開示】
【発明が解決しようとする課題】
【０００９】
上述の電気音響変換器は、そのセットである携帯電話等の電子機器の信頼性の向上が市場より強く要請されている。よって、これら電子機器の信頼性の向上には、電子機器に搭載される電気音響変換器の信頼性の向上が必要不可欠である。
【００１０】
以上の背景をもとに、従来の課題について説明する。従来のこの種の電気音響変換器であるスピーカやレシーバは、そのターミナル１０の金属端子のバネ圧を発生させてシステム側の給電部と接触により結合させている。
【００１１】
しかしながら、これらのスピーカをセットに取り付ける時に、スピーカの押さえ込み寸法を大きく設定すると、ターミナル１０のストッパー１０ａを変形させてしまい、ターミナル１０の金属端子のバネ圧の可逆限界値を超えてしまうことがある。さらに、これらの携帯電話等の電子機器を誤って落下させてしまうと、過大な衝撃力によりターミナル１０のストッパー１０ａが潰れてしまい、ターミナル１０の金属端子のバネ圧の可逆限界値を超えてしまうことがある。
【００１２】
この原因としては、ターミナル１０のシート状の金属板の最終端を内側に折り曲げ加工してストッパー１０ａを構成し、折り曲げ範囲を制御しているため、ターミナル１０のバネ圧を発生している支点となる折り曲げ位置から離れてしまうことになる。このため、過大な衝撃力を受けた場合に、バネ圧を発生している支点に大きなダメージを受け、バネ圧の可逆限界値を超えてしまうことになり、永久変形を来たす。
【００１３】
このようになると、ターミナル１０およびストッパー１０ａのバネ圧が減少してしまうことから、携帯電話等の電子機器の給電部との接触結合が不安定になり、電子機器に衝撃がかかったり、振動したりした時に接触不良を発生し、信号がとぎれてしまうという問題を抱えるものであった。
【００１４】
上述の課題は、ターミナル１０にストッパー１０ａを形成したタイプのみならず、樹脂フレームの射出成形時において、樹脂によりストッパーを一体化成形したタイプのものにおいても発生する課題であった。このタイプのものは、衝撃により樹脂ストッパーが破壊され、ターミナルの金属端子のバネ圧の可逆限界値を超えてしまうことにより発生する。
【００１５】
以上の理由から、今後はセットに衝撃がかかったり、振動したりしてもスピーカの信号がとぎれてしまうことのないようにターミナル１０のバネ圧が減少しない構成にすることが課題であった。
【００１６】
本発明は、上記課題を解決するもので、ターミナルのバネ圧の減少を防止して、スピーカへの安定した信号供給を実現できる優れた電気音響変換器およびそれを用いた電子機器を提供するものである。
【課題を解決するための手段】
【００１７】
上記目的を達成するために本発明は、このターミナルの折り曲げ部の位置をターミナル１０のシート状の金属板の最終端を内側に折り曲げ加工してストッパー１０ａを構成するのではなく、ターミナルのシート状の金属板の折り曲げ部近傍に、その一部を内側に曲げ加工してストッパーを形成したものである。すなわち、ストッパーの形成位置を、ターミナルの最終端から、バネ圧を発生する支点となる折り曲げ部近傍に設けて、折り曲げ範囲を制御できる構成としたものである。この構成により、ストッパーの位置は、バネ圧を発生する支点となる折り曲げ部近傍に形成されるため、このストッパーの保護効果により、支点となる折り曲げ部のダメージを非常に小さくすることができる。
【００１８】
また、携帯電話等の電子機器の給電部により、落下衝撃によりランダムな方向でターミナルのバネ圧を発生する支点に破壊力が加わったとしても、ストッパーが近傍に形成されているため、ダメージを非常に小さくすることができる。このため、スピーカをセットに取り付ける時に、スピーカの押さえ込み寸法を大きく設定したり、携帯電話等の電子機器を誤って落下させ、ターミナルに過大な衝撃力が加わっても、ターミナルの金属端子のバネ圧の可逆限界値を超えてしまうことがなくなる。よって、ターミナルのバネ圧が減少してしまうことがない。
【００１９】
ターミナルは常時、強いバネ圧を維持することができ、セット給電部との接触結合が安定化し、セットに衝撃がかかったり、振動したりした時でも、接触不良を発生することがないため、信号がとぎれることなく安定化する。従って、携帯電話等の電子機器の信頼性の向上を図ることができる。
【発明の効果】
【００２０】
以上のように本発明は、ターミナルのシート状の金属板の折り曲げ部近傍に、その一部を内側に曲げ加工してストッパーを形成したものである。この構成により、ストッパーの位置は、バネ圧を発生する支点となる折り曲げ部近傍に形成されるため、このストッパーの保護効果により、支点となる折り曲げ部のダメージを非常に小さくすることができる。よって、ターミナルの金属端子のバネ圧の可逆限界値を超えてしまうことがなくなり、ターミナルは常時、強いバネ圧を維持することができる。
【００２１】
一方、上記の理由からセット給電部との接触による結合が安定化し、セットに衝撃がかかったり、振動したりした時でも、接触不良を発生することがないため、信号がとぎれることなく安定化する。従って、携帯電話等の電子機器の信頼性や品質の向上を図ることができる。よって、本発明は安定した接触による結合を実現できる優れた電気音響変換器を提供することができ、その工業的価値は非常に大なるものである。
【発明を実施するための最良の形態】
【００２２】
以下、本発明の実施の形態について図面を用いて説明する。
【００２３】
（実施の形態１）
以下、実施の形態１を用いて、本発明の特に請求項１から請求項３に記載の発明について説明する。
【００２４】
図１から図３は、本発明の一実施形態の電気音響変換器であるスピーカを示したものであり、その外形が長方形タイプのスリムスピーカに適用した例について示している。図１は本発明の一実施形態の電気音響変換器の断面図であり、図２は図１におけるターミナルが下死点に達した状態の断面図であり、図３は図１におけるストッパーの形状が異なる断面図を示したものである。
【００２５】
図１から図３に示すように、着磁されたマグネット２１を上部プレート２２およびヨーク２３により挟み込んで内磁型の磁気回路２４を構成している。この磁気回路２４のヨーク２３を接触させながらターミナル３０の一部をモールドした樹脂フレーム２６に磁気回路２４を圧入し、接着により結合している。
【００２６】
そして、このフレーム２６の周縁部に振動板２７を接着し、この振動板２７にこれを駆動させるためのボイスコイル２８を結合し、このボイスコイル２８を磁気ギャップ２５にはまり込むように結合している。その後、このボイスコイル２８のリード線をターミナル３０の一方の端部に半田付けして結合している。最後に、このターミナル３０の略中央部を２つ折りに折り曲げることにより、フレーム２６の外形寸法よりターミナル３０が外部にはみ出さないようにして、もう一方の端部をシステム側の給電端子として構成している。
【００２７】
ここで、このターミナル３０は金属板の折り曲げが金属材料の可逆限界値を超えない範囲で、ターミナル３０のシート状の金属板の折り曲げ部近傍に、その一部を内側に曲げ加工してストッパー３０ａを形成したものである。このターミナル３０のストッパー３０ａにより、折り曲げ範囲を制御している。この構成により、ストッパー３０ａの位置は、バネ圧を発生する支点となる折り曲げ部近傍に形成されるため、このストッパー３０ａの保護効果により、支点となる折り曲げ部のダメージを非常に小さくすることができる。
【００２８】
このターミナル３０のストッパー３０ａの形状については、図１に示すようにその断面形状が略半円弧形状に折り曲げ加工して形成されている。この略半円弧形状の効果としては、ターミナル３０から略直角形状にストッパー３０ａの立ち上がり部が形成されるため、外力からの加圧に対して非常に強い抗力を有している。また、ストッパー３０ａの成形についても、容易に実施することができる。
【００２９】
さらに、図３に示すような、その断面形状が略直角形状に折り曲げ加工して形成されたストッパー３０ｂについては、前述の断面形状が略半円弧形状のものと比べると、その形状形成上は、少々工程が必要となるが、外力からの加圧に対してさらに強い抗力を有している。
【００３０】
以上のように、スピーカの携帯電話等の電子機器への取り付け時には、ターミナル３０がある程度曲げられて、セット側の給電部に適正なバネ圧がかかった状態で維持される。そして、スピーカを強く押さえつけて取り付けを実施しても、ターミナル３０のストッパー３０ａが当たり、それ以上動かなくなる。このため、ターミナルの金属端子のバネ圧の可逆限界値を超えてしまうことがなくなり、ターミナルは常時、強いバネ圧を維持することができる。よって、セット給電部との接触による結合が安定化し、セットに衝撃がかかったり、振動したりした時でも、接触不良を発生することがないため、信号がとぎれることなく安定化する。従って、携帯電話等の電子機器の信頼性や品質の向上を図ることができる。
【００３１】
（実施の形態２）
以下、実施の形態２を用いて、本発明の特に請求項４および請求項５に記載の発明について説明する。図４は本発明の一実施形態のターミナル３０の斜視図を示したものである。実施の形態１との違いについてのみ説明する。
【００３２】
図４に示すように、ターミナル３０のストッパー３０ａには、補強リブ３０ｃを設けて構成している。この補強リブ３０ｃの形状としては、ターミナル３０のフレームから終端に至るまでの長手方向の区間におけるストッパー３０ａ部分にスリット状にリブを形成している。この構成により、この補強リブ３０ｃの効果により、ストッパー３０ａのさらなる強化を図ることができる。
【００３３】
この補強リブ３０ｃの形状としては、当実施の形態に限定されることなく、ストッパー３０ａの強化を図ることができる形状であれば、どのような形状でも良い。
【００３４】
（実施の形態３）
以下、実施の形態３を用いて、本発明の特に請求項６および請求項７に記載の発明について説明する。図５および図６は、本発明の一実施形態のスピーカの断面図を示したものであり、実施の形態１同様に、その外形が長方形タイプのスリムスピーカに適用した例について示している。
【００３５】
実施の形態１との違いについてのみ説明する。図５に示すように、ターミナル３０のストッパー３０ａの内側に、絶縁体２９を設けて構成したものである。この構成により、ストッパー３０ａは、通常導電金属体から構成されるヨーク２３に接触することはないが、落下衝撃力により変形方向が複雑になり、２つのターミナル３０のストッパー３０ａが同時にヨーク２３に接触してもショート防止を図ることができる。
【００３６】
また、別の実施の形態としては、図６に示すようにストッパー３０ａが対向するヨーク２３に絶縁体２９を設けて構成しても良い。この構成により、同様に落下衝撃力により変形方向が複雑になり、２つのターミナル３０のストッパー３０ａが同時にヨーク２３に接触してもショート防止を図ることができる。
【００３７】
（実施の形態４）
以下、実施の形態４を用いて、本発明の特に請求項８に記載の発明について説明する。図７および図８は本発明の一実施形態の電子機器である携帯電話の要部断面図を示したものである。図７および図８に示すように、請求項１から請求項７のいずれか１つに記載のスピーカ３５を搭載して携帯電話８０を構成している。
【００３８】
図７に示すように、この携帯電話８０の構成としては、スピーカ３５と電子回路４０と液晶等の表示モジュール６０等の各部品やモジュール等を外装ケース７０の内部に搭載して携帯電話８０の要部を構成している。そして、スピーカ３５のターミナル３０と電子回路４０とを、バネ圧をかけながら接触給電させてスピーカ３５を動作させている。
【００３９】
この構成とすることにより、図８に示すようなスピーカ３５を携帯電話８０に取り付ける時に、スピーカ３５の押さえ込み寸法を大きく設定したり、携帯電話８０を誤って落下させ、ターミナル３０に過大な衝撃力が加わっても、ストッパー３０ａの効果により、バネ圧の可逆限界値を超えてしまうことがなくなる。これは、ターミナル３０のシート状の金属板の折り曲げ部近傍に、ストッパー３０ａを形成したことによる効果である。
【００４０】
すなわち、ストッパー３０ａの形成位置を、バネ圧を発生する支点となる折り曲げ部近傍に設けて、折り曲げ範囲を制御できる構成としたものである。この構成により、ストッパー３０ａの位置は、バネ圧を発生する支点となる折り曲げ部近傍に形成されるため、このストッパー３０ａの保護効果により、支点となる折り曲げ部のダメージを非常に小さくすることができる。よって、ターミナル３０のバネ圧が減少してしまうことがない。
【００４１】
このため、ターミナル３０は常時、強いバネ圧を維持することができ、携帯電話８０の電子回路４０の給電部との接触結合が安定化し、携帯電話８０に衝撃がかかったり、振動したりした時でも、接触不良を発生することがないため、信号がとぎれることなく安定化させることができる。よって、携帯電話等の電子機器の信頼性や品質の向上を図ることができる。
【産業上の利用可能性】
【００４２】
本発明にかかる電気音響変換器および電子機器は、信頼性や品質の向上化が必要な映像音響機器や情報通信機器、ゲーム機器等の電子機器に適用できる。
【図面の簡単な説明】
【００４３】
【図１】本発明の一実施の形態におけるスピーカの断面図
【図２】本発明の一実施の形態におけるスピーカの断面図
【図３】本発明の一実施の形態におけるスピーカの断面図
【図４】本発明の一実施の形態におけるターミナルの斜視図
【図５】本発明の一実施の形態におけるスピーカの断面図
【図６】本発明の一実施の形態におけるスピーカの断面図
【図７】本発明の一実施の形態における電子機器の要部断面図
【図８】本発明の一実施の形態における電子機器の要部断面図
【図９】従来のスピーカの断面図
【図１０】従来のスピーカの断面図
【図１１】従来のスピーカの断面図
【図１２】従来の電子機器の要部断面図
【図１３】従来の電子機器の要部断面図
【符号の説明】
【００４４】
２１  マグネット
２２  上部プレート
２３  ヨーク
２４  磁気回路
２５  磁気ギャップ
２６  フレーム
２７  振動板
２８  ボイスコイル
３０  ターミナル
３０ａ  ストッパー
３０ｂ  ストッパー
３０ｃ  補強リブ
３５  スピーカ
４０  電子回路
６０  表示モジュール
７０  外装ケース
８０  携帯電話
【図１】
2006013667.tif 000003
【図２】
2006013667.tif 000004
【図３】
2006013667.tif 000005
【図４】
2006013667.tif 000006
【図５】
2006013667.tif 000007
【図６】
2006013667.tif 000008
【図７】
2006013667.tif 000009
【図８】
2006013667.tif 000010
【図９】
2006013667.tif 000011
【図１０】
2006013667.tif 000012
【図１１】
2006013667.tif 000013
【図１２】
2006013667.tif 000014
【図１３】
2006013667.tif 000015